(57)【要約】【課題】センター合わせを正確且つ容易に行なうことができるレンガ積みに適したコンクリートブロックの提供。【解決手段】複数のコンクリートブロックを互いの端部を突合せて横に並べた後、これらの段のコンクリートブロックの上に同じ構成のコンクリートブロックを半分ずらして積み、同様にしてさらに別の段のコンクリートブロックを半分ずらして積み上げていくレンガ積みに供されるコンクリートブロックにおいて、上記各コンクリートブロックの中央には、上下方向に縦筋を挿通するための縦筋穴２を貫通形成し、この縦筋穴２の内壁の、長さ方向の中心に相当する部位に、センターガイド５を形成した。【選択図】　　　　図１
0003098102.tif 000002
【実用新案登録請求の範囲】
【請求項１】
複数のコンクリートブロックを互いの端部を突合せて横に並べた後、この段のコンクリートブロックの上に同じ構成のコンクリートブロックを半分ずらして積み、同様にしてさらに別の段のコンクリートブロックを半分ずらして積み上げていくレンガ積みに供されるコンクリートブロックにおいて、
上記各コンクリートブロックの中央には、上下方向に縦筋を挿通するための縦筋穴を貫通形成し、この縦筋穴の内壁の、長さ方向の中心に相当する部位に、センターガイドを形成したことを特徴とするレンガ積みに適したコンクリートブロック。
【請求項２】
前記センターガイドが前記縦筋穴の内壁から突出する突起である、請求項１記載のレンガ積みに適したコンクリートブロック。
【考案の詳細な説明】
【０００１】
【考案の属する技術分野】
本考案はコンクリートブロックのレンガ積み方法、詳しくは複数のコンクリートブロックを横に並べた後、これらの段のコンクリートブロックの上に同じ構成のコンクリートブロックを半分ずらして積み、同様にしてさらに別の段のコンクリートブロックを半分ずらして積み上げていくコンクリートブロックのレンガ積みに適したコンクリートブロックに関する。
【０００２】
【従来技術とその問題点】
一般に、この種のレンガ積み方法は、下段のコンクリートブロックの上に上段のコンクリートブロックを半ピッチずらして積み上げていく方法である。したがって、下段で隣接した２つのコンクリートブロックの突合せ部の上に上段の１つのコンクリートブロックの中心を合わせるようにして積む必要がある。ところが、各コンクリートブロックの中央部と両端部には、それぞれ方形状の縦筋穴とこの縦筋穴の半分の切欠きとが上下方向に形成されている。したがって、コンクリートブロックのセンターは中央の縦筋穴の中心ということになる。また、コンクリートブロックの突合せ部には１個分の縦筋穴が形成される。したがって、突合せ面と上段のコンクリートブロックの縦筋穴の中心とを合わせればよいのであるが、上段のコンクリートブロックの縦筋穴の中心がどこかはわかりにくいので、目検討で合わせるしかなかった。
【０００３】
また、コンクリートブロックを横に並べる場合、全コンクリートブロックが平均して面一となるようにするため、各コンクリートブロックの厚み方向の中心も合わせる必要がある。ところが、スプリットコンクリートブロックのように表面が凸凹しているものは、表面を基準にして合わせることはできないから、コンクリートブロックの厚み方向の中心を合わせなければならない。しかし、コンクリートブロックの厚み方向の中心はわかりにくく、この中心を合わせるには水糸を参考にしながら目検討で行なっているのが現状である。
【０００４】
特に、段違いコンクリートブロックの場合は表面に凹面と凸面が形成されているので、長さ方向の中心はわかりにくいが、厚み方向の中心もわかりにくい。したがって、隣接するコンクリートブロックや上下段のコンクリートブロックを正しく並べるのは非常に難しかった。
【０００５】
したがって、従来のレンガ積みの施工方法では、作業に熟練を要し、時間もかかっていた。
【０００６】
【考案が解決しようとする課題】
本考案は前記問題点を解消し、センター合わせを正確且つ容易に行なうことができるレンガ積みに適したコンクリートブロックを提供することをその課題とする。
【０００７】
【課題を解決するための手段】
前記課題を解決するため、本考案に係るレンガ積みに適したコンクリートブロックは、複数のコンクリートブロックを互いの端部を突合せて横に並べた後、この段のコンクリートブロックの上に同じ構成のコンクリートブロックを半分ずらして積み、同様にしてさらに別の段のコンクリートブロックを半分ずらして積み上げていくレンガ積みに供されるコンクリートブロックにおいて、上記各コンクリートブロックの中央には、上下方向に縦筋を挿通するための縦筋穴を貫通形成し、この縦筋穴の内壁の、長さ方向の中心に相当する部位に、センターガイドを形成したことを特徴とする。
【０００８】
なお、前記センターガイドが前記縦筋穴の内壁から突出する突起であるのが好ましい。
【０００９】
【考案の実施の形態】
図１において符号１はコンクリートブロックを示す。このコンクリートブロックの中央部と両端部にはそれぞれ方形状の縦筋穴２と切欠き３とが上下方向に形成され、上下面には横溝４が形成されている。両端の切欠き３の大きさと形は中央の縦筋穴２の半分になるように形成されている。なお、両端の切欠き３は他のコンクリートブロック１の端部と突合せられたときに上記縦筋穴２と同じ縦筋穴２を形成するものである。
【００１０】
コンクリートブロック１の中央には上下方向に貫通形成された縦筋穴２の、長さ方向に沿う内壁には、コンクリートブロック１の長さ方向の中心に相当する部位に、センターガイド５が形成されている。このセンターガイド５は上記内壁から突出する突起（突条）で、コンクリートブロックの高さ方向に沿って形成されている。
【００１１】
なお、センターガイド５の形状は、図１に示されるような三角形状のものに限定されない。図５（ａ）（ｂ）に示されるように、断面が凸状、半円形状のように形成してもよく、同図（ｃ）のように溝条に形成してもよい。
【００１２】
上記構成のコンクリートブロックをレンガ積みするときは、まず常法にしたがって基準となる水糸（図示せず）を張り、この水糸に合わせて図２の下部に示すように複数のコンクリートブロック１を互いの端部を突合せながら横に並べ、最下段のコンクリートブロックを施工する。７は突合せ部である。隣接するコンクリートブロック１、１を突合せたとき、突合せ部にも２つの切欠き３により縦筋穴２が形成される。なお、端部に配置されるコンクリートブロック１ａの終端部（他のコンクリートブロックと隣接しない部分）には、切欠き３を形成する代わりに、中央の縦筋穴２と同様の独立の穴を貫通形成すればよい。次に、最下段の各コンクリートブロック１、１ａの上面に目地モルタルを塗布し、その上の横溝４の部分に水糸を張り、その上に２段目のコンクリートブロックを並べていく。このとき、２段目のコンクリートブロック１は、同図の上部に示すように最下段のコンクリートブロック１に対して半分ずらして積み上げるのであるが、２段目のコンクリートブロック１の中心を最下段の隣接するコンクリートブロック１の突合せ部に合わせ、また２段目の隣接するコンクリートブロック１の突合せ部を最下段のコンクリートブロック１の中心に合わせるセンター合わせをしなければならない。このセンター合わせをするには、２段目のコンクリートブロック１のセンターガイド５が最下段の隣接コンクリートブロック１、１の突合せ部に合うように位置合わせをし、また２段目の隣接コンクリートブロック１の突合せ部が最下段のコンクリートブロック１のセンターガイド５に合うように位置合わせをすればよい。通常は、図３に示されるように、下段のコンクリートブロック１のセンターガイド５に上段の隣接コンクリートブロック１、１の突合せ部を合わせればよい。このようにして２段目のコンクリートブロックを積み終わったならば、図４に示されるように、さらに３段目、４段目のコンクリートブロックも同じ要領で積み上げていけばよい。
【００１３】
なお、図示しないが、常法にしたがって連続したコンクリートブロックの縦筋穴２と横溝には金属製の縦筋と横筋が挿通されるものとする。
【００１４】
以上のように、上下段のコンクリートブロックのセンター合わせは容易かつ正確に行なうことができるので、従来のように目検討で行なう必要がない。しかも、一方の段のコンクリートブロック１の突合せ部７を他方の段のコンクリートブロック１のセンターガイド５に合うようにセンター合わせすれば、同時に上下段及び左右のコンクリートブロック１の厚み方向の中心も合うことになる。したがって、コンクリートブロック積みの作業が楽で、迅速に行なうことができ、必ずしも熟練した職人でなくてもレンガ積みすることが可能となる。
【００１５】
次に、上述のセンター合わせは、通常のコンクリートブロックではなく、図６に示す段違いコンクリートブロック１にも適用することができる。この場合も、上述の例と同様、図７に示されるように、下段のコンクリートブロック１のセンターガイド５に上段の隣接コンクリートブロック１、１の突合せ部７を合わせ、図８のように積み重ねていけばよい。なお、段違いコンクリートブロック１の場合は、両側端面に突合せの目印となる溝条１０を形成しておけば、突合せ作業は容易に行なうことができる。
【００１６】
段違いコンクリートブロック１の場合は表面に凹面８と凸面９が形成されているので、長さ方向の中心も厚み方向の中心もわかりにくいが、センターガイド５を合わせるだけで長さ方向と厚み方向のセンター合わせができる。したがって、コンクリートブロック積みの作業が楽で、迅速に行なうことができ、必ずしも熟練した職人でなくてもレンガ積みすることが可能となる。
【００１７】
【考案の効果】
請求項１の考案によれば、下段のコンクリートブロックの上に上段のコンクリートブロックを半分だけずらして積み上げるときに、一方の段のコンクリートブロックのセンターガイドに他方の段の隣接コンクリートブロックの突合せ部を合わせて積み上げるので、上下段のコンクリートブロックのセンター合わせは容易かつ正確に行なうことができるので、従来のように目検討で行なう必要がない。しかも、上記位置合わせにより、同時に上下段及び左右のコンクリートブロックの厚み方向の中心も合うことになる。したがって、センター合わせを正確且つ容易に行なうことができ、コンクリートブロック積みの作業が楽で、迅速に行なうことができるとともに、必ずしも熟練した職人でなくてもレンガ積みすることが可能となる。
【００１８】
請求項２に係る考案によれば、センターガイドが前記縦筋穴の内壁から突出する突起であるから、センター合わせがしやすい。
【図面の簡単な説明】
【図１】本発明に係るコンクリートブロックの平面図
【図２】上記コンクリートブロックの最下段と２段目のコンクリートブロックの平面図
【図３】センターガイドによるセンター合わせの態様を示す要部の平面図
【図４】上記コンクリートブロックの積み上げ状態を示す斜視図
【図５】（ａ）（ｂ）（ｃ）はセンターガイドの例の平面図
【図６】他のコンクリートブロックの平面図
【図７】上記コンクリートブロックの最下段と２段目のコンクリートブロックの平面図
【図８】上記コンクリートブロックの積み上げ状態を示す斜視図
【符号の説明】
１　コンクリートブロック
２　縦筋穴
５　センターガイド
【図１】
0003098102.tif 000003
【図２】
0003098102.tif 000004
【図３】
0003098102.tif 000005
【図４】
0003098102.tif 000006
【図５】
0003098102.tif 000007
【図６】
0003098102.tif 000008
【図７】
0003098102.tif 000009
【図８】
0003098102.tif 000010